(57)【要約】【課題】強度を保持しつつ、手摺支柱の取付施工やガラス部材の取付作業が極めて簡単で、製作時間を短縮でき、製作費の大幅な低減化を図ることができる手摺支柱を提供する。【解決手段】中空角筒状の外殻部１２と、その内部の長手方向にボルトねじ込み筒１３と、ボルトねじ込み筒１３を外殻部１２の水平断面視中心位置に固設するとともに、水平方向への強度を補強する補強筋１４とを備え、ボルトねじ込み筒１３は、外殻部１２の水平断面視中心位置に長手方向全長にわたり１つ形成されており、補強筋１４は、水平断面視において、支柱横荷重方向に外殻部１２の空間を略３等分する２つの仕切り壁１５，１６（第１の仕切り壁）と、外殻部１２の４つのコーナーの夫々に均等サイズの矩形状のセルを形成する支柱連設方向の４つの仕切り壁１７，１８，１９，２０（第２の仕切り壁）とからなる。【選択図】図３
2011021441.tif 000002
【特許請求の範囲】
【請求項１】
中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、
前記ボルトねじ込み筒は、前記外殻部の水平断面視中心位置に長手方向全長にわたり１つ形成されており、
前記ボルトねじ込み筒を前記外殻部の水平断面視中心位置に固設するとともに、水平方向への強度を補強する補強筋を備え、
前記補強筋は、水平断面視において、支柱横荷重方向に前記外殻部の空間を略３等分する２つの第１の仕切り壁と、前記外殻部の４つのコーナーの夫々に均等サイズの矩形状のセルを形成する支柱連設方向の４つの第２の仕切り壁とからなり、
前記ボルトねじ込み筒は、水平断面視において、前記２つの第１の仕切り壁に内接するとともに、内接箇所において一体化しており、
前記外殻部には、水平断面視において、支柱連設方向の前記セルを構成していない箇所の両方が開口されることにより、前記外殻部の長手方向全長にわたりガラス板を嵌め込むための溝が２つ形成されており、
前記溝の側面には横断面Ｔ字状の突起体が長手方向全長にわたり形成されており、横断面略Ｃ字状の帯状弾性体が前記突起体に嵌着されるようにしており、
水平断面視において、前記外殻部と前記４つの第２の仕切り壁とが交わるコーナーの内側に、ビス孔が長手方向全長にわたり形成されており、
前記外殻部と前記ボルトねじ込み筒と前記補強筋と前記ビス孔とは、長手方向全長にわたり、アルミ押出によって一体成形されてなることを特徴とする手摺支柱。
【請求項２】
中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、
前記ボルトねじ込み筒は、前記外殻部の水平断面視中心位置に長手方向全長にわたり１つ形成されており、
前記ボルトねじ込み筒を前記外殻部の水平断面視中心位置に固設するとともに、水平方向への強度を補強する補強筋を備え、
水平断面視において、前記ボルトねじ込み筒の周縁と前記外殻部との間の空間を支柱横荷重方向と支柱連設方向とに略４等分する仕切り壁であって、支柱横荷重方向の２つを第３の仕切り壁、支柱連設方向の２つを第４の仕切り壁と定義するとき、
前記補強筋は、前記２つの第３の仕切り壁と、前記２つの第４の仕切り壁のうち何れか一方と、前記２つの第４の仕切り壁の他方が、前記外殻部に開口を有する水平断面視コ字状（又は逆コ字状）の仕切り壁に代替された第５の仕切り壁とからなり、
前記ボルトねじ込み筒は、水平断面視において、前記第５の仕切り壁に接するとともに、接触箇所において一体化しており、
前記外殻部には、前記開口部により、前記外殻部の長手方向全長にわたりガラス板を嵌め込むための溝が１つ形成されており、
前記溝の側面には横断面Ｔ字状の突起体が長手方向全長にわたり形成されており、横断面略Ｃ字状の帯状弾性体が前記突起体に嵌着されるようにしており、
水平断面視において、前記第４の仕切り壁により分割された空間の夫々に１つずつ、前記外殻部の支柱連設方向の内壁に、ビス孔が長手方向全長にわたり形成されており、
水平断面視において、前記外殻部と前記第５の仕切り壁とが交わるコーナーの内側に、ビス孔が長手方向全長にわたり形成されており、
前記外殻部と前記ボルトねじ込み筒と前記補強筋と前記ビス孔とは、長手方向全長にわたり、アルミ押出によって一体成形されてなることを特徴とする手摺支柱。
【請求項３】
中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、
前記ボルトねじ込み筒は、前記外殻部の水平断面視中心位置に長手方向全長にわたり１つ形成されており、
前記ボルトねじ込み筒を前記外殻部の水平断面視中心位置に固設するとともに、水平方向への強度を補強する補強筋を備え、
前記補強筋は、水平断面視において、前記ボルトねじ込み筒の周縁と前記外殻部との間の空間を略４等分する、支柱横荷重方向の２つの第３の仕切り壁と、支柱連設方向の２つの第４の仕切り壁とからなり、
水平断面視において、４分割された空間の夫々に１つずつ、前記外殻部の支柱連設方向の内壁に、ビス孔が長手方向全長にわたり形成されており、
前記外殻部と前記ボルトねじ込み筒と前記補強筋と前記ビス孔とは、長手方向全長にわたり、アルミ押出によって一体成形されてなることを特徴とする手摺支柱。
【発明の詳細な説明】
【技術分野】
【０００１】
本発明は、建物の屋上の周縁部やベランダの外縁部に突設された水返し用堰壁や建物室内の階段部分に突設された堰壁に設置される手摺支柱に関し、特に、強度を保持しつつ、手摺支柱の取付施工やガラス部材の取付作業が極めて簡単で、製作時間を短縮でき、製作費の大幅な低減化を図ることができるようにした手摺支柱に関する。
【背景技術】
【０００２】
この種の手摺支柱の取付構造として、従来、特許文献１に記載された技術が知られている。この手摺支柱は、アンカー本体とこれの下部側に固着したアンカー鉄筋とからなる支柱アンカーを予めユニットに形成しておいて、この支柱アンカーの下部側アンカー鉄筋を、堰壁の支柱取付位置に穿設したボルト埋設用凹孔に硬化性充填剤を介して挿入し、この硬化性充填剤の硬化によって支柱アンカーを堰壁上に直立状態に取り付け固定される。
【０００３】
この手摺支柱の取付構造によれば、支柱アンカーとして、例えば、金属製の扁平筒状体からなるアンカー本体と、これの下部に溶接により固着されて下方へ突出する一対の鉄筋とをユニットにしたものを予め形成しておく必要があり、しかもこのユニット形成した支柱アンカーの下部側アンカー鉄筋を堰壁のボルト埋設用凹孔に硬化性充填剤を介して挿入し、固着立設した後、この支持アンカーに挿入した手摺支柱を、支持アンカーにビス止めする必要があることから、支持アンカーの製作及びその取付けにかなり手間がかかって、製作費が高くつくという問題があった。
【０００４】
このような問題を解決すべく提案された手摺支柱の取付構造として、特許文献２に記載された技術が知られている。この手摺支柱は、中空角筒状のアルミ押出型材からなるのもので、内周側の中央部両側対称位置に一対のボルトねじ込み筒が軸方向全体に一体形成されており、前記ボルトねじ込み筒にアンカーボルトの一端部側をねじ込んで固定して、その他端部側を手摺支柱の下端より突出させ、このアンカーボルトの突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定される。
【０００５】
この手摺支柱によれば、従来のように支柱アンカーを特別に製作する必要がなく、またボルト埋設用凹孔へのアンカーの挿入後に手摺支柱をアンカーに固定する作業等が一切不要であるから、従来の取付構造に比べ、手摺支柱の取付施工が簡単且つ容易となって、施工費の低減化を図ることができる。
【０００６】
また、手摺におけるガラス取付構造については、従来、ガラス縦枠を手摺支柱に取り付け、この手摺支柱間の手摺笠木及び横桟にガラス横枠を取り付けて、ガラス板をガラス縦枠及びガラス横枠に嵌め込んだものが知られている。
【先行技術文献】
【特許文献】
【０００７】
【特許文献１】特開平１１−２７００９２号公報
【特許文献２】特開２００５−２２６３７６号公報
【発明の概要】
【発明が解決しようとする課題】
【０００８】
ところで、特許文献２に記載された従来の手摺支柱は、中空角筒状のアルミ押出型材からなり、その内周側の中央部両側対称位置に一対のボルトねじ込み筒が軸方向全体に一体形成されてなるため、１つの手摺支柱を取り付けるのに、アンカーボルトを２本要するとともに、アンカーボルトのねじ込み作業を２回行う必要があった。
【０００９】
これに対して、アルミ押出型材の内周側に設けるボルトねじ込み筒を１つのみにした場合、アンカーボルトは１本で、アンカーボルトのねじ込み作業も１回で済むが、水平方向からの荷重に弱いという問題があった。
【００１０】
また、従来の手摺におけるガラス取付構造では、ガラス縦枠を要するとともに、手摺支柱にガラス縦枠の取り付け作業を行う必要があった。
【００１１】
そこで、本発明が解決しようとする課題は、強度を保持しつつ、手摺支柱の取付施工やガラス部材の取付作業が極めて簡単で、製作時間を短縮でき、製作費の大幅な低減化を図ることができる手摺支柱を提供することである。
【課題を解決するための手段】
【００１２】
この発明は、前記課題を解決するためになされたもので、請求項１に記載の手摺支柱は、中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、前記ボルトねじ込み筒は、前記外殻部の水平断面視中心位置に長手方向全長にわたり１つ形成されており、前記ボルトねじ込み筒を前記外殻部の水平断面視中心位置に固設するとともに、水平方向への強度を補強する補強筋を備え、前記補強筋は、水平断面視において、支柱横荷重方向に前記外殻部の空間を略３等分する２つの第１の仕切り壁と、前記外殻部の４つのコーナーの夫々に均等サイズの矩形状のセルを形成する支柱連設方向の４つの第２の仕切り壁とからなり、前記ボルトねじ込み筒は、水平断面視において、前記２つの第１の仕切り壁に内接するとともに、内接箇所において一体化しており、前記外殻部には、水平断面視において、支柱連設方向の前記セルを構成していない箇所の両方が開口されることにより、前記外殻部の長手方向全長にわたりガラス板を嵌め込むための溝が２つ形成されており、前記溝の側面には横断面Ｔ字状の突起体が長手方向全長にわたり形成されており、横断面略Ｃ字状の帯状弾性体が前記突起体に嵌着されるようにしており、水平断面視において、前記外殻部と前記４つの第２の仕切り壁とが交わるコーナーの内側に、ビス孔が長手方向全長にわたり形成されており、前記外殻部と前記ボルトねじ込み筒と前記補強筋と前記ビス孔とは、長手方向全長にわたり、アルミ押出によって一体成形されてなることを特徴としている。
【００１３】
請求項１に記載の手摺支柱によれば、１つのボルトねじ込み筒が中空角筒状の外殻部の中心部に形成されており、かつ、それが補強筋によって強固に固設されているので、取付施工に使用されるアンカーボルトが１本であっても、手摺支柱の強度を保持することができる。
【００１４】
また、請求項１に記載の手摺支柱によれば、１つの手摺支柱を取り付けるのに、アンカーボルトは１本で、アンカーボルトのねじ込み作業も１回で済むので、手摺支柱の取付施工の効率化及び製作費の低減化を図ることができる。
【００１５】
また、請求項１に記載の手摺支柱によれば、外殻部の長手方向全長にわたりガラス板を嵌め込むための溝が２つ形成されているので、手摺支柱にガラス縦枠の取り付け作業を行わなくても、この溝を介して２枚のガラスを嵌め込むことができる。このため、ガラス部材の取付作業の効率化及び製作費の低減化を図ることができる。
【００１６】
さらに、請求項１に記載の手摺支柱によれば、溝の側面には横断面Ｔ字状の突起体が長手方向全長にわたり形成されており、横断面略Ｃ字状の帯状弾性体をそこに嵌着することで、ガラス部材をしっかりと固定できるとともに、帯状弾性体が弾力性を有するので、ガラス部材が痛みにくい。
【００１７】
請求項２に記載の手摺支柱は、中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、前記ボルトねじ込み筒は、前記外殻部の水平断面視中心位置に長手方向全長にわたり１つ形成されており、前記ボルトねじ込み筒を前記外殻部の水平断面視中心位置に固設するとともに、水平方向への強度を補強する補強筋を備え、水平断面視において、前記ボルトねじ込み筒の周縁と前記外殻部との間の空間を支柱横荷重方向と支柱連設方向とに略４等分する仕切り壁であって、支柱横荷重方向の２つを第３の仕切り壁、支柱連設方向の２つを第４の仕切り壁と定義するとき、前記補強筋は、前記２つの第３の仕切り壁と、前記２つの第４の仕切り壁のうち何れか一方と、前記２つの第４の仕切り壁の他方が、前記外殻部に開口を有する水平断面視コ字状（又は逆コ字状）の仕切り壁に代替された第５の仕切り壁とからなり、前記ボルトねじ込み筒は、水平断面視において、前記第５の仕切り壁に接するとともに、接触箇所において一体化しており、前記外殻部には、前記開口部により、前記外殻部の長手方向全長にわたりガラス板を嵌め込むための溝が１つ形成されており、前記溝の側面には横断面Ｔ字状の突起体が長手方向全長にわたり形成されており、横断面略Ｃ字状の帯状弾性体が前記突起体に嵌着されるようにしており、水平断面視において、前記第４の仕切り壁により分割された空間の夫々に１つずつ、前記外殻部の支柱連設方向の内壁に、ビス孔が長手方向全長にわたり形成されており、水平断面視において、前記外殻部と前記第５の仕切り壁とが交わるコーナーの内側に、ビス孔が長手方向全長にわたり形成されており、前記外殻部と前記ボルトねじ込み筒と前記補強筋と前記ビス孔とは、長手方向全長にわたり、アルミ押出によって一体成形されてなることを特徴としている。
【００１８】
請求項２に記載の手摺支柱によれば、１つのボルトねじ込み筒が中空角筒状の外殻部の中心部に形成されており、かつ、それが補強筋によって強固に固設されているので、取付施工に使用されるアンカーボルトが１本であっても、手摺支柱の強度を保持することができる。
【００１９】
また、請求項２に記載の手摺支柱によれば、１つの手摺支柱を取り付けるのに、アンカーボルトは１本で、アンカーボルトのねじ込み作業も１回で済むので、手摺支柱の取付施工の効率化及び製作費の低減化を図ることができる。
【００２０】
また、請求項２に記載の手摺支柱によれば、外殻部の長手方向全長にわたりガラス板を嵌め込むための溝が１つ形成されているので、手摺支柱にガラス縦枠の取り付け作業が必要なく、ガラス部材の取付作業の効率化及び製作費の低減化が可能な終端の手摺支柱を提供することができる。
【００２１】
さらに、請求項２に記載の手摺支柱によれば、溝の側面には横断面Ｔ字状の突起体が長手方向全長にわたり形成されており、横断面略Ｃ字状の帯状弾性体をそこに嵌着することで、ガラス部材をしっかりと固定できるとともに、帯状弾性体が弾力性を有するので、ガラス部材が痛みにくい。
【００２２】
請求項３に記載の手摺支柱は、中空角筒状の外殻部とその内部の長手方向にボルトねじ込み筒とを備え、前記ボルトねじ込み筒にアンカーボルトの一端部側をねじ込んで固定して、その他端部側を前記外殻部の下側より突出させ、このアンカーボルト突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱であって、前記ボルトねじ込み筒は、前記外殻部の水平断面視中心位置に長手方向全長にわたり１つ形成されており、前記ボルトねじ込み筒を前記外殻部の水平断面視中心位置に固設するとともに、水平方向への強度を補強する補強筋を備え、前記補強筋は、水平断面視において、前記ボルトねじ込み筒の周縁と前記外殻部との間の空間を略４等分する、支柱横荷重方向の２つの第３の仕切り壁と、支柱連設方向の２つの第４の仕切り壁とからなり、水平断面視において、４分割された空間の夫々に１つずつ、前記外殻部の支柱連設方向の内壁に、ビス孔が長手方向全長にわたり形成されており、前記外殻部と前記ボルトねじ込み筒と前記補強筋と前記ビス孔とは、長手方向全長にわたり、アルミ押出によって一体成形されてなることを特徴としている。
【００２３】
請求項３に記載の手摺支柱によれば、１つのボルトねじ込み筒が中空角筒状の外殻部の中心部に形成されており、かつ、それが補強筋によって強固に固設されているので、取付施工に使用されるアンカーボルトが１本であっても、手摺支柱の強度を保持することができる。
【００２４】
また、請求項３に記載の手摺支柱によれば、１つの手摺支柱を取り付けるのに、アンカーボルトは１本で、アンカーボルトのねじ込み作業も１回で済むので、手摺支柱の取付施工の効率化及び製作費の低減化を図ることができる。
【発明の効果】
【００２５】
本発明によれば、強度を保持しつつ、手摺支柱の取付施工やガラス部材の取付作業が極めて簡単で、製作時間を短縮でき、製作費の大幅な低減化を図ることができる手摺支柱を提供することができる。
【図面の簡単な説明】
【００２６】
【図１】本発明の実施例１における手摺の外観正面図である。
【図２】本発明の実施例１における手摺支柱の縦断側面図である。
【図３】本発明の実施例１における手摺支柱の横断側面図である。
【図４】本発明の実施例２における手摺支柱の横断側面図である。
【図５】本発明の実施例３における手摺支柱の横断側面図である。
【発明を実施するための形態】
【００２７】
以下、本発明を適用した具体的な実施の形態について、図面を参照しながら詳細に説明する。本発明は、例えば図１乃至図５に示すような構成の手摺支柱１１，５１，１０１に適用される。
【００２８】
図１は、屋上やベランダ等のコンクリート製堰壁２に設置された手摺１を示しており、この手摺１は、堰壁２上に所要間隔おきに立設されるアルミ押出型材製の角筒状手摺支柱１１と、これら手摺支柱１１の上端部に連結されるアルミ押出型材の手摺笠木３と、各手摺支柱１１，１１間にあって、その下部間に取り付けられる横桟４と、各支柱１１，１１と手摺笠木３と横桟４との間に嵌め込まれるガラス板５とから構成される。
【実施例１】
【００２９】
先ず、図２及び図３を参照して、実施例１である手摺支柱１１の構成について説明する。手摺支柱１１は、図２に示すように、堰壁上面２ａにはアンカーボルト６を介して立設される。
【００３０】
手摺支柱１１は、図２及び図３に示すように、中空角筒状の外殻部１２とその内部の長手方向にボルトねじ込み筒１３とを主要部として備え、ボルトねじ込み筒１３は、外殻部１２の水平断面視中心位置に長手方向全長にわたり１つ形成されている。
【００３１】
そして、手摺支柱１１は、ボルトねじ込み筒を前記外殻部の水平断面視中心位置に固設するとともに、水平方向への強度を補強する補強筋１４を備えている。補強筋１４は、水平断面視において、支柱横荷重方向に外殻部１２の空間を略３等分する２つの仕切り壁１５，１６（第１の仕切り壁）と、外殻部１２の４つのコーナーの夫々に均等サイズの矩形状のセルを形成する支柱連設方向の４つの仕切り壁１７，１８，１９，２０（第２の仕切り壁）とから構成されている。
【００３２】
ボルトねじ込み筒１３は、水平断面視において、２つの仕切り壁１５，１６（第１の仕切り壁）に内接するとともに、内接箇所において一体化している。ボルトねじ込み筒１３は、アンカーボルト６をねじ込むためのもので、ボルトねじ込み筒１３に内接する正八角形の頂点の位置に、アンカーボルト６のねじ山の高さに相当する長さの内方に向けた突起２１が長手方向全長にわたり設けられており、突起２１を除いたボルトねじ込み筒１３の内径はアンカーボルト６の外径と略等しくなっている。アンカーボルト６は、鋼棒の外周面にネジが切られたネジ棒で、安価にて市販されているものである。
【００３３】
ビスポケット２２（ビス孔）は、水平断面視において、外殻部１２と４つの仕切り壁１７，１８，１９，２０（第２の仕切り壁）とが交わるコーナーの内側に、長手方向全長にわたり形成されている。このビスポケット２２は、手摺笠木３を手摺支柱１１の上端部にビス止め固定する際にそのビスがねじ込まれるようになっている。
【００３４】
外殻部１２には、水平断面視において、開口部２３，２４（支柱連設方向のセルを構成していない箇所）が設けられており、この開口部２３，２４が外殻部１２の長手方向全長にわたり形成されることで、ガラス板５を嵌め込むための従来のガラス縦枠に代替する溝２５，２６が形成されている。
【００３５】
溝２５，２６の側面には横断面Ｔ字状の突起体２７，２８が長手方向全長にわたり形成されており、横断面略Ｃ字状の帯状弾性体２９（図示省略）が突起体２７，２８に嵌着されるようにしている。
【００３６】
ここで、外殻部１２とボルトねじ込み筒１３と補強筋１４とビスポケット２２とは、長手方向全長にわたり、アルミ押出によって一体成形されている。
【００３７】
次に、前記のように堰壁２上に立設される手摺支柱１１の取付手順について説明すると、先ず、各手摺支柱１１のボルトねじ込み筒１３にその下端部よりアンカーボルト６の一端部側を、所要長さだけ、例えばアンカーボルト６の全長の１／３程度ねじ込んで固定して、その他端部側を手摺支柱１１の下端から突出させる。この時、手摺支柱１１の下端から突出するアンカーボルト６の突出長さは、例えば全長の２／３となる。
【００３８】
一方、図２に示すように、コンクリート製の堰壁２における支柱取付位置に１つのボルト埋設用凹孔７を図示しない穿孔具によって穿設し、この１つのボルト埋設用凹孔７に液状の速乾性硬化性充填剤８を充填する。この充填剤８の注入量は、凹孔７にアンカーボルト６を挿入した際に充填剤８が凹孔７から溢れ出ない程度の量とする。
【００３９】
この速乾性硬化性充填剤８は、使用時に液状で、硬化によって硬質層を形成する材料であればよく、例えば乾燥硬化型や反応硬化型の各種接着剤、シール材、硬質合成樹脂発泡体、非発泡硬質合成樹脂、セメントモルタル等の種々のものを使用することができる。
【００４０】
前記のように速乾性硬化性充填剤８を充填したボルト埋設用凹孔７に、手摺支柱１１の下端から突出した１つのアンカーボルト６を挿入すれば、アンカーボルト６は、数時間後に充填剤８が硬化することによって、堰壁２上に直立状態に堅固に取り付け固定されることになる。こうして手摺支柱１１，１１を堰壁２上に立設した後、図１に示すように、横桟４、ガラス板５、手摺笠木３を取り付ける。
【００４１】
最後に、ガラス板５の取付手順について説明すると、先ず、手摺笠木３にガラス横枠３０（図１参照。）をビス止めによって取り付け、手摺支柱１１の溝２５，２６の側面に設けられた突起体２７，２８に横断面略Ｃ字状の帯状弾性体２９（図示省略）を嵌着しておく。そして、手摺支柱１１，１１を横桟４にて連結した後、溝２５，２６及びガラス横枠３０を介して、ガラス板５を嵌め込み、手摺支柱１１のシール部３２の隙間をシール材３３を使用してシールし、その後、手摺笠木３のガラス横枠３０にガラス板５を嵌めつつ、ビスポケット２２を介して手摺支柱１１の上端部に手摺笠木３をビス止めして取り付ける。
【実施例２】
【００４２】
続いて、図４を参照して、実施例２である手摺支柱５１の構成について説明する。手摺支柱５１の概略は実施例１である手摺支柱１１と変わらないので、相違点については詳述するが、繰り返しとなる説明箇所については極力省略する。
【００４３】
手摺支柱５１は、手摺の終端に用いられる支柱であるため、溝６５を１つしか備えておらず、それに伴って補強筋５４の構成が以下のように手摺支柱１１とは異なっている。
【００４４】
図４に示す水平断面視において、ボルトねじ込み筒５３の周縁と外殻部５２との間の空間を支柱横荷重方向と支柱連設方向とに略４等分する仕切り壁であって、支柱横荷重方向の２つを仕切り壁５５，５６（第３の仕切り壁）、支柱連設方向の２つを仕切り壁５７，５８（第４の仕切り壁）と定義するとき、補強筋５４は、２つの仕切り壁５５，５６（第３の仕切り壁）と、仕切り壁５７（２つの第４の仕切り壁のうち何れか一方）と、仕切り壁５８（２つの第４の仕切り壁の他方、図４における点線箇所）が、外殻部５２に開口を有する水平断面視コ字状（又は逆コ字状）の仕切り壁に代替された仕切り壁５８'（第５の仕切り壁）とから構成されている。
【００４５】
ボルトねじ込み筒５３は、水平断面視において、仕切り壁５８'（第５の仕切り壁）に接するとともに、接触箇所において一体化している。外殻部５２には、開口部６４により、外殻部５２の長手方向全長にわたりガラス板５を嵌め込むための溝６５が１つ形成されている。
【００４６】
ビスポケット６２は、水平断面視において、仕切り壁５７，５８（第４の仕切り壁）により分割された空間の夫々に１つずつ、外殻部５２の支柱連設方向の内壁に、長手方向全長にわたり形成されており、外殻部５２と仕切り壁５８'（第５の仕切り壁）とが交わるコーナーの内側にも長手方向全長にわたり形成されている。
【実施例３】
【００４７】
最後に、図５を参照して、実施例３である手摺支柱１０１の構成について説明する。手摺支柱１０１の概略は実施例１である手摺支柱１１や実施例２である手摺支柱５１と変わらないので、相違点については詳述するが、繰り返しとなる説明箇所については同様に省略する。
【００４８】
手摺支柱１０１は、ガラス板５を嵌め込むための溝を備えておらず、それに伴って補強筋５４の構成が以下のように手摺支柱１１とは異なっている。ガラス板５を嵌め込むためには、ガラス縦枠（図示省略）を手摺支柱１０１に取り付けることが必要となる。
【００４９】
補強筋１０４は、図５に示す水平断面視において、ボルトねじ込み筒１０３の周縁と外殻部１０２との間の空間を略４等分する、支柱横荷重方向の２つの仕切り壁１０５，１０６（第３の仕切り壁）と、支柱連設方向の２つの仕切り壁１０７，１０８（第４の仕切り壁）とから構成されている。
【００５０】
ビスポケット１１２は、水平断面視において、４分割された空間の夫々に１つずつ、外殻部１０２の支柱連設方向の内壁に、長手方向全長にわたり形成されている。
【００５１】
以上説明したように、本発明に係る手摺支柱１１，５１，１０１によれば、１つのボルトねじ込み筒１３，５３，１０３が中空角筒状の外殻部１２，５２，１０２の中心部に形成されており、かつ、それが補強筋１４，５４，１０４によって強固に固設されているので、取付施工に使用されるアンカーボルト６が１本であっても、手摺支柱の強度を保持することができる。
【００５２】
また、本発明に係る手摺支柱１１，５１，１０１によれば、１つの手摺支柱１１，５１，１０１を取り付けるのに、アンカーボルト６は１本で、アンカーボルト６のねじ込み作業も１回で済むので、手摺支柱１１，５１，１０１の取付施工の効率化及び製作費の低減化を図ることができる。
【００５３】
また、本発明に係る手摺支柱１１によれば、外殻部１２の長手方向全長にわたりガラス板５を嵌め込むための溝２５，２６が形成されているので、手摺支柱１１にガラス縦枠の取り付け作業を行わなくても、この溝２５，２６を介して２枚のガラス板５を嵌め込むことができる。このため、ガラス板５の取付作業の効率化及び製作費の低減化を図ることができる。
【００５４】
また、本発明に係る手摺支柱５１によれば、外殻部５２の長手方向全長にわたりガラス板５を嵌め込むための溝６５が１つ形成されているので、手摺支柱５１にガラス縦枠の取り付け作業が必要なく、ガラス板５の取付作業の効率化及び製作費の低減化が可能な終端の手摺支柱５１を提供することができる。
【００５５】
さらに、本発明に係る手摺支柱１１，５１によれば、溝２５，２６（又は溝６５）の側面には横断面Ｔ字状の突起体２７，２８（又は突起体６７）が長手方向全長にわたり形成されており、横断面略Ｃ字状の帯状弾性体２９（図示省略）をそこに嵌着することで、ガラス板５をしっかりと固定できるとともに、帯状弾性体が弾力性を有するので、ガラス板５が痛みにくい。
【００５６】
なお、本発明は前述した実施の形態のみに限定されるものではなく、本発明の要旨を逸脱しない範囲において種々の変更が可能であることは勿論である。
【符号の説明】
【００５７】
１  手摺
２  堰壁
２ａ  堰壁上面
３  手摺笠木
４  横桟
５  ガラス板
６  アンカーボルト
７  ボルト埋設用凹孔
８  速乾性硬化性充填剤
１１，５１，１０１  手摺支柱
１２，５２，１０２  外殻部
１３，５３，１０３  ボルトねじ込み筒筒
１４，５４，１０４  補強筋
１５，１６，１７，１８，１９，２０  仕切り壁
２１  突起
２２  ビスポケット
２３，２４，６４  開口部
２５，２６，６５  溝
２７，２８，６７  突起体
２９  帯状弾性体
３０  ガラス横枠
３２  シール部
３３  シール材
５５，５６，５７，５８，５８'  仕切り壁
１０５，１０６，１０７，１０８  仕切り壁
【図１】
2011021441.tif 000003
【図２】
2011021441.tif 000004
【図３】
2011021441.tif 000005
【図４】
2011021441.tif 000006
【図５】
2011021441.tif 000007